(57)【要約】【課題】所望した照射光の光学特性を得るために、接続する光源の種類及び／又は使用用途に合わせて、光学部材を交換することができる光照射モジュールを提供することである。【解決手段】本発明に係る光照射モジュールは、光源から射出された光を導光する複数の光ファイバを結束したライトガイド部と、ライトガイド部の先端部に光結合し、射出光を所望の光学特性に変換する、交換可能な光学部材と、内部に貫通孔が形成され、貫通孔にライトガイド部を嵌装する固定部材を含む基礎部材と、光学部材の先端部に嵌合する窓部を有し、窓部に照明光を透過する保護部材が設けられ、基礎部材の先端部に着脱可能な先端カバー部と、を有している。光照射モジュールは、所望する照射光の光学特性を得るために、接続する光源の種類及び／又は使用用途に合わせて、光学部材を交換することができる。【選択図】図１
2014003998.tif 000002
【特許請求の範囲】
【請求項１】
少なくとも１つの光源から射出された光を導光する複数の光ファイバを結束したライトガイド部と、
前記ライトガイド部の先端部に光結合し、前記射出光を所望の光学特性の照明光に変換する、交換可能な光学部材と、
内部に貫通孔が形成され、該貫通孔に前記ライトガイド部を嵌装する固定部材を含む基礎部材と、
前記光学部材の先端部に嵌合する窓部を有し、当該窓部に照明光を透過する保護部材が設けられ、前記基礎部材の先端部に着脱可能な先端カバー部と、
を具備することを特徴とする光照射モジュール。
【請求項２】
前記固定部材を嵌合する孔は、光軸方向に直交する断面の断面形状が少なくとも一部が円形形状であり、
前記固定部材を嵌合する孔の中心軸が、前記ライトガイド部の光軸と同軸であることを特徴とする請求項１に記載の光照射モジュール。
【請求項３】
前記窓部は、前記光学部材が外部へ離脱することを防止することを特徴とする請求項１に記載の光照射モジュール。
【請求項４】
前記窓部は、透明な部材である保護部材を有し、当該保護部材は、前記光学部材の先端に当接するように設置されていることを特徴とする請求項３に記載の光照射モジュール。
【請求項５】
前記窓部は、先端部が前記保護部材よりも小さい径を有し、当該保護部材が、先端側へ離脱しないように当該窓部の後端部側から嵌合されていることを特徴とする請求項１に記載の光照射モジュール。
【請求項６】
前記先端カバー部は、ネジによって前記基礎部材に取り外しできるように固定されることを特徴とする請求項１又は請求項５に記載の光照射モジュール。
【請求項７】
前記先端カバー部は、前記照射ユニットを保護するカバー部と、当該照射ユニット以外の部分を保護するカバー部とに、分離されていることを特徴とする請求項１又は請求項５に記載の光照射モジュール。
【請求項８】
前記照射ユニットを保護するカバー部は、ネジによって前記基礎部材に取り外しできるように固定されることを特徴とする請求項７に記載の光照射モジュール。
【請求項９】
前記先端カバー部は、少なくとも、光学部材との間の水密性を維持するシール部材を有し、
前記先端カバー部と当該先端カバーが当接する外周面との間に前記シール部材を有することを特徴とする請求項１又は請求項５に記載の光照射モジュール。
【請求項１０】
前記光学部材は、先端部の一部分に取り出すための取手である突出部を有することを特徴とする請求項１又は請求項５に記載の光照射モジュール。
【請求項１１】
前記光学部材は、外周部の一部分が異形形状に形成されていることを特徴とする請求項１又は請求項５に記載の光照射モジュール。
【請求項１２】
前記先端カバー部の一部分に一端部が埋設され、
他端部が前記基礎部材の内部に形成された孔の内部を可動できるように保持され、
前記基礎部材の内部に形成された孔の先端部で前記他端部が係止する、軸部材を有し、
前記軸部材が、前記基礎部材の内部に形成された孔に従って収納されると、前記先端カバー部が当該基礎部材の先端部に装着されることを特徴とする請求項１又は請求項５に記載の光照射モジュール。
【請求項１３】
前記固定部材と前記光学部材の後端部とを締め付けて、固定する接合部材を有することを特徴とする請求項１又は請求項５に記載の光照射モジュール。
【請求項１４】
前記固定部材は、先端部に前記光学部材の後端部と嵌合する嵌合部材を有することを特徴とする請求項１又は請求項５に記載の光照射モジュール。
【請求項１５】
前記光学部材は、後端部に前記固定部材の先端部と嵌合する嵌合部材を有することを特徴とする請求項１又は請求項５に記載の光照射モジュール。
【請求項１６】
少なくとも１つの光源と、
前記光源からの射出された光を導光する光ファイバを結束したライトガイド部を有し、当該光源と光学的及び機械的に着脱可能な導光モジュールと、
前記導光モジュールに光学的に接続され、前記導光モジュールを導光する光を照射する光照射モジュールと、を具備し、
前記光照射モジュールは、
少なくとも１つの光源から射出された光を導光する複数の光ファイバを結束したライトガイド部と、
前記ライトガイド部の先端部に光結合し、前記射出光を所望の光学特性の照明光に変換する、交換可能な光学部材と、
内部に貫通孔が形成され、該貫通孔に前記ライトガイド部を嵌装する固定部材を含む基礎部材と、
前記光学部材の先端部に嵌合する窓部を有し、当該窓部に照明光を透過する保護部材が設けられ、前記基礎部材の先端部に着脱可能な先端カバー部と、有し、
前記先端カバー部が前記導光モジュールの先端部に装着された際に、当該先端カバー部と当該導光モジュールとの間で、水密性が維持されていること、を特徴とする観察システム。
【発明の詳細な説明】
【技術分野】
【０００１】
本発明は、観察対象を観察する観察システムに備えられた照明光を照射する光照射モジュールに関する。
【背景技術】
【０００２】
一般的に、体腔内若しくは構造物内を観察するために使用される、例えば、軟性若しくは硬性内視鏡、又は、工業用内視鏡等の観察システムは、撮像光学系及び撮像素子を含む撮像ユニットに加えて、観察対象を照明するために、光源と、導光モジュールであるライトガイドと、光学系からなる照射ユニットなどで構成される光照射モジュールと、を有している。
【０００３】
例えば、特許文献１では、光照射モジュールの導光モジュールは、レーザ（ＬＤ）光（レーザ光源等のコヒーレント光）を導光するための単ファイバと、拡散光（ランプ光源及びＬＥＤ光源等のインコヒーレント光）を導光するためのバンドルファイバと、の２つの導光モジュールを有している。この光照射モジュールは、拡散光源、ＬＤ光源、拡散光源及びＬＤ光源のハイブリッド光源のいずれかの光源を接続して使用することができる。また、照射ユニットは、２つの導光モジュールに対して共用の照明光学系である光学部材（レンズ及び散乱部材など）が用いられている。この光学部材を共用することによって、内視鏡自体の大径化を防ぐことができる。  
【先行技術文献】
【特許文献】
【０００４】
【特許文献１】特開平１０−３３７２７１号公報
【発明の概要】
【発明が解決しようとする課題】
【０００５】
しかし、前述した拡散光源、ＬＤ光源、拡散光源及びＬＤ光源のハイブリッド光源の光源から射出されるそれぞれの光に適した照射ユニットを設計することは、容易ではない。従って、それぞれに対して、適した照射角度では光が放射されていない。
【０００６】
例えば、導光モジュールから射出される光の照射角度は、導光モジュールの開口数（ＮＡ）に依存する。導光モジュールの開口数は一般的に、導光する光の特性に応じて選択される。レーザ光源から射出されたレーザ光など、例えば、比較的に照射角度が小さい光を導光する場合は、狭い開口数を有する導光部材を使用することができる。しかし、拡散光源などから射出された光など、比較的に照射角度が広い光を導光する場合は、受光できる入射角度が広い開口数を有する導光モジュールを選択することが望ましい。この結果、多くの場合、開口数の小さな導光モジュールにより導光されたレーザ光は、相対的に小さな照射角度で射出され、開口数の大きな導光モジュールで導光された拡散光は、相対的に大きな照射角度で射出される。
【０００７】
特許文献１によれば、光源を選択的に適用できる観察システムが開示されている。しかし、全ての光源から射出される光に適した光学部材を設計することが容易ではないため、所望する照射角度で光を照射することができない。
【０００８】
本発明の目的は、所望する照射光の光学特性を得るために、接続する光源の種類及び／又は使用用途に合わせて、光学部材を交換することができる光照射モジュールを提供することである。
【課題を解決するための手段】
【０００９】
上述した課題を解決するために、本実施形態の一態様に係る光照射モジュールは、少なくとも１つの光源から射出された光を導光する複数の光ファイバを結束したライトガイド部と、ライトガイド部の先端部に光結合し、射出光を所望の光学特性の照明光に変換する、交換可能な光学部材と、内部に貫通孔が形成され、貫通孔に前記ライトガイド部を嵌装する固定部材を含む基礎部材と、光学部材の先端部に嵌合する窓部を有し、窓部に照明光を透過する保護部材が設けられ、基礎部材の先端部に着脱可能な先端カバー部と、を有している。
【００１０】
上述した一態様で、所望する照射光の光学特性を得るために、接続する光源の種類及び／又は使用用途に合わせて、光学部材を交換することができる光照射モジュールが提供される。
【発明の効果】
【００１１】
本発明の光照射モジュールは、所望する照射光の光学特性を得るために、接続する光源の種類及び／又は使用用途に合わせて、適宜、光学部材が交換可能である。
【図面の簡単な説明】
【００１２】
【図１】図１は、本発明に係る観察システムの概要図である。
【図２】図２は、第１の実施形態の光照射モジュールの断面図である。
【図３】図３は、第１の実施形態の光学部材の断面図である。
【図４】図４は、第１の実施形態の変形例１の光学部材の断面図である。
【図５】図５は、第１の実施形態の変形例２の光学部材の断面図である。
【図６】図６は、第１の実施形態の変形例３の光学部材の断面図である。
【図７】図７は、第１の実施形態の変形例４の光学部材の断面図である。
【図８】図８は、第１の実施形態の変形例５の光学部材の断面図である。
【図９】図９は、第１の実施形態の変形例６の光学部材の断面図である。
【図１０】図１０は、第１の実施形態の変形例７の光学部材の概要図である。
【図１１】図１１は、第２の実施形態の光照射モジュールの断面図である。
【図１２】図１２は、第３の実施形態の光照射モジュールの断面図である。
【図１３】図１３は、第４の実施形態の光照射モジュールの断面図である。
【図１４】図１４は、第５の実施形態の照射ユニットの断面図である。
【図１５】図１５は、第５の実施形態の変形例１の光学部材の断面図である。
【図１６】図１６は、第５の実施形態の変形例２の光学部材の断面図である。
【図１７】図１７（ａ）は、第６の実施形態の光学部材の側面図であり、図１７（ｂ）は、第６の実施形態の光学部材の断面図である。
【図１８】図１８（ａ）は、第６の実施形態の変形例の光学部材の側面図であり、図１８（ｂ）は、第６の実施形態の変形例の光学部材の断面図である。
【発明を実施するための形態】
【００１３】
以下、図面を参照して本発明の実施形態について詳細に説明する。  
［第１の実施形態］  
図１に示すように、本実施形態の光照射モジュール２を搭載する観察システム１は、後述する撮像ユニット６０（図２）及び照射ユニット７０（図２）を含む光照射モジュール２と、照射ユニット７０と光学的に接続する光ファイバを含む導光モジュール３と、後述する光源４４、４５を格納し導光モジュール３と光学的に接続されるモジュール本体４と、光ファイバを光結合するコネクタ部６と、を有している。ここで、観察システム１の長手方向で、光照射モジュール２の設置されている方向を先端（前方）、モジュール本体４の設置されている方向を後端（後方、又は基端）とする。
【００１４】
観察システム１は、例えば、軟性若しくは硬性内視鏡、又は、工業用内視鏡などである。尚、内視鏡として用いる観察システム１は、さらに、処置具などを挿通するチャンネル及び送気送水チャンネルなどを有していても構わない（図示せず）。
【００１５】
図１に示すように、モジュール本体４は、少なくとも、撮像した画像を観察する画像観察部５と、レーザ（ＬＤ）光（コヒーレント光）等の照射角度が狭い光を導光する単線ファイバ４２と、拡散光（インコヒーレント光）等の照射角度が広い光を導光するバンドルファイバ４３と、単線ファイバ４２の一端に接続されたレーザ（ＬＤ）光源４４と、バンドルファイバ４３の一端に接続された拡散光光源（ランプ光源、ＬＥＤ光源など）４５と、単線ファイバ４２及びバンドルファイバ４３を光結合するためのコネクタ部６と、これらの光源を格納する筐体４７と、を有している。
【００１６】
尚、図示しないが、これらの光源を駆動するための電源や駆動回路、単線ファイバ４２若しくはバンドルファイバ４３を光源に光学接続するために必要なレンズ等も設置されている。このモジュール本体４のコネクタ部６から出射された光は、導光モジュール３に導光され、光照射モジュール２の照射ユニット７０から観察対象へ照射される。この光照射モジュール２は、円筒形状を例としているが、円筒形状に限定されるものではない。
【００１７】
単線ファイバ４２は、レーザ光等の照射角度の狭い光が導光する径を有している。バンドルファイバ４３は、複数の細長い光ファイバが結束されている部材である。本実施形態では、単線ファイバ４２とバンドルファイバ４３とが、結束されている部分を以下でライトガイド部４６と称する。
【００１８】
ＬＤ光源４４は、例えば、単線ファイバ４２を介してレーザ光等のコヒーレント光を光照射モジュール２へ導光する。拡散光光源４５は、例えば、バンドルファイバ４３を介してＬＥＤ光、ランプ光のようなインコヒーレント光を照射ユニット７０へ導光する。
【００１９】
画像観察部５は、光照射モジュール２に設けられた撮像ユニット６０とケーブル５３により接続され、撮像された画像を表示し、確認できるモニタを備えている。尚、例えば、撮像ユニット６０は、撮像素子を備えていない観察用ファイバースコープでも良い。この場合、画像観察部５は、少なくとも接眼レンズを有しており、ファイバで形成されたケーブル５３を伝送されてきた光像（観察像）を視認することができる。
【００２０】
図２に示すように、導光モジュール３は、水密で可撓性を有する外装部（ハウジング部）２２内に、ライトガイド部４６及びケーブル５３が挿通されている。外装部２２は、例えば、樹脂、ゴムなどのような合成樹脂で形成されている。
【００２１】
導光モジュール３の一端には、光照射モジュール２が設けられ、他端にはコネクタ部６ｂが設けられている。コネクタ部６は、モジュール本体４に設けられたコネクタ部６ａと、導光モジュール３に設けられたコネクタ６ｂと、が着脱可能に構成され、光学的な損失がないように接続している。
【００２２】
光照射モジュール２においては、基礎部材２１が設けられて、撮像ユニット６０と照射ユニット７０とが配置され、これらを先端カバー部１０１で覆っている。この先端カバー部１０１は、取り外し可能にするために、側方に孔１２３が形成される。ピン又はネジからなる固定部材２４は、孔１２３を貫通して、基礎部材２１に形成された固定穴２５３に螺着し、先端カバー部１０１を基礎部材２１に固定している。また、先端カバー部１０１と導光モジュール３との間で水密性を維持するために、後述する弾性部材からなるＯリング等のシール部材２３が介在している。
【００２３】
基礎部材２１は、金属等の硬質な部材により形成されている。  
この基礎部材２１には、少なくとも第１及び第２の孔２５１、２５２が開口されている。これらの孔２５１、２５２は、導光モジュール３の光軸方向に対して垂直であり、その断面形状が円形に形成されている。尚、第１及び第２の孔２５１、２５２は、断面が円形に限定されるものではなく、撮像ユニット６０及び照射ユニット７０の外形形状に合う形状である。
【００２４】
図２に示すように、導光モジュール３は、基礎部材２１に形成された第１の孔２５１及び第２の孔２５２を貫通して、ケーブル５３を包含し撮像ユニット６０を固定する撮像ユニット固定部２５及びライトガイド部４６を包含し照射ユニット７０を固定するライトガイド固定部２６が装嵌される。尚、基礎部材２１は、さらに、処置具などを挿通する孔と、送気送水するための孔と、などを有していても構わない。
【００２５】
図２に示すように、シール部材２３は、例えば、ゴム若しくは樹脂などの弾性体で形成され、基礎部材２１の外周部に嵌装されている。シール部材２３は、Ｏリングにように、導光モジュール３の面と先端カバー部１０１の面とを密着させる径と形状とを有している。シール部材２３は、撮像ユニット６０と照射ユニット７０に液体が浸漬しないように水密性を維持する。
【００２６】
図２に示すように、先端カバー部１０１は、少なくとも、先端カバー外装部１１１と、撮像ユニット６０の先端部との水密を維持する第１のシール部材１１２と、照射ユニット７０の先端部との水密を維持する第２のシール部材１１３と、挿入された固定部材２４との水密を維持する第３のシール部材１１４と、第１の保護部材１１５と、第２の保護部材１１６と、を有している。先端カバー部１０１は、導光モジュール３の先端に嵌合し、光照射モジュール２を形成する。
【００２７】
先端カバー外装部１１１は、撮像ユニット６０の先端部に嵌合する開口である第１の窓部１２１と、照射ユニット７０の先端部に嵌合する開口である第２の窓部１２２と、前述した側方の孔１２３と、が形成されている。先端カバー外装部１１１は、例えば、樹脂で形成されている。
【００２８】
第１の窓部１２１は、前方側に第１の保護部材１１５と、第１の保護部材１１５の設置位置よりも後方側に第１のシール部材１１２とが設置されている。ここで、第１の保護部材１１５は、例えば、ガラスなどの光を透過する部材である。第１のシール部材１１２は、弾性部材であり、例えば、Ｏリングである。
【００２９】
第２の窓部１２２も、同様に、前方側に第２の保護部材１１６と、第２の保護部材１１６の設置位置よりも後方側に第２のシール部材１１３とが設置されている。ここで、第１の保護部材１１５と同様に、第２の保護部材１１６は、例えば、ガラスなどの光を透過する部材である。第１のシール部材１１３と同様に、第２のシール部材１１３は、弾性部材であり、例えば、Ｏリングである。  
先端カバー１０１の孔１２３は、内壁に第３のシール部材１１４が設置されている。先端カバー１０１は、ネジである固定部材２４により固定穴２５３にネジ止めされる。
【００３０】
撮像ユニット６０は、複数の光学レンズ及びそのレンズ群を保持するレンズ鏡筒６２により構成される撮像光学系６１と、撮像光学系６１に結像された光像を受光し、光電変換による画像信号を生成する撮像素子ユニット６３と、を有している。撮像ユニット６０は、基礎部材２１の先端より突出して固定されている。撮像素子ユニット６３に生成された画像信号は、ケーブル５３により画像観察部５へ伝送される。
【００３１】
照射ユニット７０は、ライトガイド部４６を中心軸に保持するフェルール７１と、着脱自在で、交換可能である光学部材７０１と、フェルール７１と光学部材７０１とを連なるように保持する筒形状のスリーブ７１３と、を有している。  
スリーブ７１３は、前方には、光学部材７０１が嵌め込まれ、後方にはフェルール７１が嵌め込まれている。
【００３２】
フェルール７１は、光学部材７０１を先端部に光結合した際に、光学的な接続損失が低減される構造である。フェルール７１は、後端部をライトガイド固定部２６によって保持されている。
【００３３】
図３に示すように、光学部材７０１は、少なくとも、光学特性調整部７１１と、光学部材外装部７１２と、スリーブ７１３とを有している。  
光学特性調整部７１１は、光学特性を変換する部材、例えば、レンズ、散乱部材などを有していてもよい。また、光学特性調整部７１１は、後端部でフェルール７１の先端と同軸上で光結合する構造である。
【００３４】
光学部材外装部７１２は、光学特性調整部７１１を保持する孔を有し、後端部がスリーブ７１３と嵌合する形状に形成されている。スリーブ７１３は、単体の把持部材であっても良いし、光学特性調整部７１１と一体形成されていても良いし、フェルール７１と一体形成されていても良い。  
本実施形態の観察システム１は、ＬＤ光源４４と拡散光光源４５とのいずれか一方若しくは同時に適用できる。
【００３５】
単線ファイバ４２は、コネクタ部６を介してＬＤ光源４４から射出されたレーザ光をコネクタ６ａへ導光する。同様に、バンドルファイバ４３は、コネクタ部６を介して拡散光光源４５から射出された拡散光をコネクタ６ａへ導光する。単線ファイバ４２及びバンドルファイバ４３は、コネクタ６ｂで結束されライトガイド部４６となり、各光源からの光を先端部へ導光する。
【００３６】
光学部材７０１から照射された光は、第２の窓部を透過し、観察対象へ照射される。  
このとき、光学特性変換部７１１は、ライトガイド部４６で導光された光を観察対象の観察のために適した所望の光学特性に変換する。  
光源若しくは観察対象によって所望の光学特性を変換する場合は、固定部材２４を抜去し、先端カバー１０１を光照射モジュール２から外し、光学特性変換部７１１が交換される。
【００３７】
光学部材７０１からの照射光で照明された観察対象は、第１の窓部１２１を介して撮像ユニット６０で撮像され、画像信号としてケーブル５３で伝送され、画像観察部５に表示される。
【００３８】
本実施形態によれば、先端カバー部１０１が、着脱可能であるため、撮像ユニット６０及び／若しくは照射ユニット７０を容易に交換することができる。また、先端カバー部１０１は、前述したように各接合箇所にシール部材２３、１１２、１１３、１１４が設置されているため、外部と、光照射モジュール２及び導光モジュール３との間の水密が維持される。光学部材７０１が交換可能であるため、ＬＤ光源４４若しくは拡散光光源４５に適した光学部材７０１が容易に換装できる。また、先端カバー部１０１が着脱可能であり、光学部材７０１も交換可能である。よって、光照射モジュール２の構成要素は、観察対象に好適するタイプを選択することができ、且つ構成要素が、故障若しくは性能劣化した場合にも容易に交換若しくは修理をすることができる。
【００３９】
図４を参照して、第１の実施形態の変形例１について説明する。  
第１の実施形態の変形例１の観察システム１は、前述した第１の実施形態の観察システム１と、ほぼ同等の構成であるが、光照射モジュール２の光学部材７０１ａの構成が異なる。従って、第１の実施形態と共通の構成要素には、同じ参照符号を付して、その詳細な説明を省略する。
【００４０】
図４に示すように、本実施形態の変形例１の光学部材７０１ａは、光特性調整部７１１にレンズ部７２１ａを有している。レンズ部７２１ａは、フェルール７１に対向する面が凹曲面に形成されている。レンズ部７２１ａは、照明光の照射角度を広角化する凹レンズである。照明光の照射角度は、撮像部における撮像画角（撮像範囲又は観察視野）に対応し、撮影画像の周辺部分に露出不足等が発生しないように設定される。
【００４１】
拡散光光源４５から射出された照明光が、バンドルファイバ４３を導光し、光学部材７０１ａへ導光される。光学部材７０１ａに導光された照明光は、レンズ部７２１ａで光学特性が変換され、拡散光として照射される。例えば、導光された照明光は、白色照明光若しくは観察対象を観察するために適した特定波長照明光へ変換される。
【００４２】
本実施形態の変形例１によれば、光学部材７０１ａは、拡散光源４５から導光された照明光を白色照明光若しくは観察対象を観察するために適した特定波長照明光へ変換することができる。また、レンズ部７２１ａによって、好適な照射角度に調整された拡散光を照射することができる。
【００４３】
図５を参照して、第１の実施形態の変形例２について説明する。  
第１の実施形態の変形例２の観察システム１は、第１の実施形態の観察システム１と、ほぼ同等の構成であるが、光照射モジュール２の光学部材７０１ｂの構成が異なる。従って、第１の実施形態と共通の構成要素には、同じ参照符号を付して、その詳細な説明を省略する。
【００４４】
変形例１の光学部材７０１ｂは、光特性調整部７１１がレンズ部７２１ｂと散乱部材７２２ｂとで構成される。レンズ部７２１ｂは、照明光の照射角度を広角化する凹レンズである。レンズ部７２１ｂは、フェルール７１に対向する面が凹曲面に形成されている。
【００４５】
散乱部材７２２ｂは、フェルール７１の先端とレンズ部７２１ｂとの間に設置されている。散乱部材７２２ｂは、光の波長のコヒーレントを低減する部材である。散乱部材７２２ｂは、例えば、すりガラスのようなガラスの表面で界面屈折されるように加工された部材、若しくは、屈折率の異なる粒子状の物質を包含する部材などである。
【００４６】
ＬＤ光源４４から射出されたレーザ光は、単線ファイバ４３を介して光学部材７０１ｂへ導光される。光学部材７０１ｂに導光されたレーザ光は、散乱部材７２２ｂによって光の波長のコヒーレントが低減され、レンズ部７２１ｂで照射角度が調整されて、拡散光として照射される。例えば、レーザ光は、狭帯域光観察（ＮＢＩ）などに適用され、観察対象である血管などを観察するために適した特定波長照明光へ変換される。
【００４７】
本実施形態の変形例２によれば、光学部材７０１ｂを交換することによって、レーザ光源４４から導光されたレーザ光は、観察対象に適した特定波長照明光へ変換される。また、レンズ部７２１ｂ及び散乱部材７２７ｂによって、レーザ光を拡散させる照射角度を調整することができる。
【００４８】
図６を参照して、第１の実施形態の変形例３について説明する。  
変形例３の観察システム１は、第１の実施形態の観察システム１と、ほぼ同等の構成であるが、光照射モジュール２の光学部材７０１ｃの構成が異なる。従って、第１の実施形態と共通の構成要素には、同じ参照符号を付して、その詳細な説明を省略する。  
変形例３の光学部材７０１ｃは、光特性調整部７１１に散乱部材７２２ｃを有している。
【００４９】
ＬＤ光源４４から射出されたレーザ光が、単線ファイバ４３を介して光学部材７０１ｃへ導光される。光学部材７０１ｃに導光されたレーザ光は、散乱部材７２２ｃによって光の波長のコヒーレントが低減される。
【００５０】
本実施形態の変形例３によれば、光学部材７０１ｃを交換することによって、レーザ光源４４から導光されたレーザ光は、観察対象に適した特定波長照明光へ変換される。また、設置された散乱部材７２２ｃによって、導光された光の照射角度を調整することもできる。さらに、第１の実施形態の変形例２と比較して、レンズ部７２１ｂを有していないため、構成が簡素化することができる。
【００５１】
図７を参照して、第１の実施形態の変形例４について説明する。  
変形例４の観察システム１は、第１の実施形態の観察システム１と、ほぼ同等の構成であるが、光照射モジュール２の光学部材７０１ｄの構成が異なる。従って、第１の実施形態と共通の構成要素には、同じ参照符号を付して、その詳細な説明を省略する。
【００５２】
変形例４の光学部材７０１ｄは、光学部材外装部７１２ｄと、光学部材外装部７１２ｄに装着された光特性調整部７１１ｄと、を有している。  
光学部材外装部７１２ｄは、中央には、先端側に広がりを持つ円錐台形状（又は、円形ホーン形状）の孔が形成され、その内部壁面が鏡面（反射面）に形成されている。
【００５３】
光特性調整部７１１ｄは、少なくとも、透明部材７２３ｄと、光特性変換部材７２４ｄと、を有している。光特性調整部７１１ｄは、孔の鏡面に密着する透明部材７２３ｄが嵌め込まれている。透明部材７２３ｄの後端面は、フェルール７１と当接し、先端面の略中央には、光特性変換部材７２４ｄが設置されている。
【００５４】
透明部材７２３ｄは、例えば、ガラス若しくはシリコン樹脂などの可視光を透過する部材である。また、光特性変換部材７３４は、例えば、蛍光体であり、レーザ光で励起され、レーザ光を白色照明光に変換する部材である。
【００５５】
ＬＤ光源４４から射出されたレーザ光は、単線ファイバ４３を介して光学部材７０１ｃへ導光される。光学部材７０１ｄに導光されたレーザ光は、透明部材７２３ｄを通過し、光特性変換部材７３４ｄで励起され、例えば、白色光へ変換される。このとき、光特性変換部材７３４ｄで後方散乱により後方に散乱した光は、光学部材外装部７１２ｄの内壁で反射され、光特性変換部材７３４ｄの配置されていない部分を通過して、前方へ照射される。  
本実施形態の変形例４によれば、光学部材７０１ｄに交換することによって、レーザ光源４４から導光されたレーザ光は、白色照明光へ変換される。
【００５６】
図８を参照して、第１の実施形態の変形例５について説明する。  
第１の実施形態の変形例５の観察システム１は、第１の実施形態の変形例４の観察システム１と、ほぼ同等の構成であるが、光照射モジュール２の光学部材７０１ｅの構成が異なる。従って、第１の実施形態と共通の構成要素には、同じ参照符号を付して、その詳細な説明を省略する。
【００５７】
変形例５の光学部材７０１ｅは、円柱と円錐台形状を組み合わせた孔が形成された光ユニット外装部７１２ｅと、光特性調整部７１１ｅと、を有している。この孔は、少なくとも円錐面が鏡面化された反射鏡面を有し、光を反射する部材で覆われている。
【００５８】
光特性調整部７１１ｅは、先端側に配置されるレンズ部７２１ｅと、孔と合致する円錐台形状の透明部材７２３ｄと、レンズ部７２１ｅと間隔を空けて透明部材７２３ｄの先端側の面の中央に配置される光特性変換部材７２４ｄと、で構成される。光ユニット外装部７１２ｅの円錐台形状の孔部分には、透明部材７２３ｄが孔の内部壁面と隙間なく合致するように設けられている。また、レンズ部７２１ｅは、例えば、凸レンズである。尚、レンズ部７２１ｅは、凹レンズでも構わない。
【００５９】
ＬＤ光源４４から射出されたレーザ光は、単線ファイバ４３を通じて、光学部材７０１ｅへ導光される。光学部材７０１ｅに導光されたレーザ光は、透明部材７２３ｄを拡散するように通過し、光特性変換部材７３４ｄで励起されて、例えば、白色光へ変換される。このとき、光特性変換部材７３４ｄで後方散乱により後方に散乱した光は、光学部材外装部７１２ｅの内壁で反射され、光特性変換部材７３４ｄの配置されていない先端部を導光され、前方へ照射される。凸レンズは、蛍光体で光学特性変換された光の照射角度を狭める。
【００６０】
本実施形態の変形例５によれば、光学部材７０１ｅを交換することによって、レーザ光源４４から導光されたレーザ光は、白色照明光へ変換することができる。また、レンズ部７２１ｅによって、導光された光の照射角度が調整できる。
【００６１】
図９を参照して、第１の実施形態の変形例６について説明する。  
変形例６の観察システム１は、第１の実施形態の変形例５の観察システム１と、ほぼ同等の構成であるが、光照射モジュール２の光学部材７０１ｆの構成が異なる。従って、第１の実施形態と共通の構成要素には、同じ参照符号を付して、その詳細な説明を省略する。
【００６２】
本変形例６の光学部材７０１ｆは、光特性調整部７１１にレンズ部７２１ｆを有している。レンズ部７２１ｆは、例えば、凸レンズである。尚、レンズ部７２１ｆは、凹レンズでも構わない。
【００６３】
ＬＤ光源４４から射出されたレーザ光が、単線ファイバ４３を通じて、光学部材７０１ｆへ導光される。光学部材７０１ｆに導光されたレーザ光は、凸レンズで照射角度を狭められる。
【００６４】
本実施形態の変形例６によれば、光学部材７０１ｆを交換することによって、レーザ光源４４から導光されたレーザ光は、直接放射される。また、レンズ部７２１ｆによって、導光された光の照射角度が調整できる。
【００６５】
第１の実施形態の変形例７について説明する。  
第１の実施形態の変形例７の観察システム１は、第１の実施形態の変形例２の観察システム１と、ほぼ同等の構成であるが、適用される光源が異なる。従って、第１の実施形態と共通の構成要素には、同じ参照符号を付して、その詳細な説明を省略する。  
図１０に示すように、本実施形態の変形例７の光源は、ＬＤ光源４４及び拡散光光源４５が適用されている。
【００６６】
ＬＤ光源４４から射出されたレーザ光が、単線ファイバ４３を通じて、光学部材７０１ｂへ導光される。同様に、拡散光光源４５から射出されたレーザ光が、バンドルファイバ４３を通じて、光学部材７０１ｂへ導光される。光学部材７０１ｂに導光されたレーザ光は、散乱部材７２２ｂによって光の波長のコヒーレントを低減される。さらに、レーザ光及び拡散光は、レンズ部７２１ｂによって照射角度が調整される。
【００６７】
本実施形態の変形例７によれば、レーザ光源４４から導光されたレーザは、観察対象に適した特定波長照明光へ変換される。また、拡散光光源４５から導光された拡散光は、レンズ部７２１ｂによって照射角度が調整される。従って、ＬＤ光源４４及び拡散光光源４５から構成されるハイブリッド光源から、白色照明光と特定波長照明光とを同時に観察対象へ照射することができる。
【００６８】
尚、本実施形態及び本実施形態の変形例は、光学部材の構成を限定するものではない。例えば、光学部材は、観察対象の観察に適切な光学特性を得られれば、ガラス部、散乱部材、光特性変換部材及び透明部材などをどのように配置しても構わない。
【００６９】
［第２の実施形態］  
図１１を参照して、第２の実施形態の構成について説明する。  
第２の実施形態の観察システム１は、第１の実施形態の観察システム１と、ほぼ同等の構成であるが、光照射モジュール２の先端カバー部１０１ｈの構成が異なる。従って、第１の実施形態と共通の構成要素には、同じ参照符号を付して、その詳細な説明を省略する。
【００７０】
図１１に示すように、第２の実施形態の光照射モジュール２の先端カバー部１０１ｈは、光照射モジュール２の撮像ユニット６０を包含する上を覆う第１の先端カバー部１０１ｈａと、第２の先端カバー部１０１ｈｂと、を有している。
【００７１】
第１の先端カバー部１０１ｈａは、少なくとも、先端カバー外装部１１１ｈａと、側方で第２の先端カバー部１０１ｈｂの間の水密を維持する第１のシール部材１１２ｈと、を有している。
【００７２】
先端カバー外装部１１１ｈａは、撮像ユニット６０の先端部と嵌合する第１の窓部１２１ｈが形成されている。第１の先端カバー部１０１ｈａは、光照射モジュール２の先端の上部に接着剤等で接着されている。尚、第１の先端カバー部１０１ｈａは、固定部材によって固定されていても良い。尚、第１の窓部１２１ｈは、ガラスなどの保護部材及びシール部材が設置されていても良い。
【００７３】
第１のシール部材１１２ｈは、第１の先端カバー部１０１ｈａの先端部の底面に設置されている。第１のシール部材１１２ｈは、例えば、紐状の弾性部材である。  
第２の先端カバー部１０２ｈｂは、少なくとも、先端カバー外装部１１１ｈｂと、第２のシール部材１１３ｈと、第３のシール部材１１４ｈと、を有している。
【００７４】
先端カバー外装部１１１ｈｂは、照射ユニット７０の先端部と嵌合する第２の窓部１２２ｈと、孔１２３と、が形成されている。第２の先端カバー部１０２ｈは、照射ユニット７０の先端部に嵌合し、光照射モジュール２ｈの先端の下部に着脱可能に嵌合されている。尚、第２の窓部１２２ｈは、ガラスなどの保護部材及びシール部材が設置されていても良い。
【００７５】
シール部材１１３ｈは、第２の窓部１１２ｈの内壁に設置されている。  
第２の窓部１２２ｈは、着脱可能に設置されている。また、第２の窓部１２２ｈと固定部材孔１２３ｈとに、各々、第２のシール部材１１３ｈと第３のシール部材１１４ｈとが設置されているために、光照射モジュール２ｈの水密性が維持される。
【００７６】
本実施形態によれば、先端カバー部１０１ｈは、第１の先端カバー部１０１ｈａと第２の先端カバー部１０１ｈｂとに分離されている。第２の先端カバー部１０１ｈｂのみが着脱可能に形成されているために、Ｏリングの数が削減できる。従って、構成要素を削減されるために、水密性を維持することが容易にできる。
【００７７】
［第３の実施形態］  
図１２を参照して、第３の実施形態の構成について説明する。  
第３の実施形態の観察システム１は、第１の実施形態の観察システム１と、ほぼ同等の構成であるが、光照射モジュール２の先端カバー部１０１ｉの構成が異なる。従って、第１の実施形態と共通の構成要素には、同じ参照符号を付して、その詳細な説明を省略する。
【００７８】
図１２に示すように、本実施形態の先端カバー部１０１ｉは、第１の実施形態の先端カバー部１０１とほぼ同等の構成であるが、第１及び第２の窓部１１５ｉ、１１６ｉと第１及び第２の保護部材１２１ｉ、１２２ｉとの構成が異なる。
【００７９】
第１の窓部１１５ｉは、前方の径が後方の径よりも小径に形成されている。第２の窓部１１６ｉも、同様に形成されている。  
第１の保護部材１２１ｉは、後方側から嵌合され、第１の窓部１１５ｉの先端と後端との間に形成された段差で係止する。第２の保護部材１２２ｉも、後方側から嵌合され、第２の窓部１１５ｉの先端と後端との間に形成された段差で係止する。
【００８０】
本実施形態によれば、本実施形態の第１及び第２の窓部１１５ｉ、１１６ｉは、前方の径が後方の径よりも小径に形成されているために、保護部材１１５ｉ、１１６ｉが前方へ外れ落ちる（離脱する）ことを防止する。
【００８１】
［第４の実施形態］  
第４の実施形態の構成について説明する。  
第４の実施形態の観察システム１は、第１の実施形態の観察システム１と、ほぼ同等の構成であるが、光照射モジュール２が、ストッパ付き直動ガイド部３００を有する点が異なる。従って、第１の実施形態と共通の構成要素には、同じ参照符号を付して、その詳細な説明を省略する。
【００８２】
図１３に示すように、本実施形態の光照射モジュール２は、ストッパ付き直動ガイド部３００を有している。  
ストッパ付き直動ガイド部３００は、軸部材３０１と、軸部材３０１の両端部に設置されたストッパ部３０２、３０３を有している。軸部材３０１は、光学部材６０が容易に交換できる距離の長さを有している。ストッパ部３０２、３０３は、軸部材３０１よりも大きな径を有し、基礎部材２１に係止するように形成されている。ストッパ付き直動ガイド３００は、例えば、ストッパ部３０２が先端カバー部１０１の中心部に埋設され、他端のストッパ部３０３が基礎部材２１の内部に埋設されている。
【００８３】
本実施形態の基礎部材２１ｋは、第１の実施形態の基礎部材２１とほぼ同等の構成であるが、先端部に軸部材３０１を挿通する小径の孔を有し、ストッパ付き直動ガイド３００の一端部を保持し、直動方向のガイドとなる孔３１１を有している。  
孔３１１は、ストッパ付き直動ガイド３００の２つのストッパ部３０２、３０３のいずれかを保持し、ストッパ付き直動ガイド３００が直線上に可動するように形成されている。
【００８４】
図１３に示ように、孔３１１は、例えば、基礎部材２１ｋの中心に設置されている。孔３１１は、軸部材３０１を基礎部材側へ収納し、先端カバー部１０１が光照明モジュール２の先端部に嵌合するような長さを有している。孔３１１は、スットパ部３０２、３０３が摺動可能な遊びを含む径を有している。
【００８５】
ストッパ付き直動ガイド３００は、基礎部材２１に形成された孔３１１に従って可動する。ストッパ部３０２は、先端カバー部１０１に埋設され、固定されている。ストッパ付き直動ガイド３００が孔３１１に収納されたときに、先端カバー部１０１は、光照射モジュール２の先端部に嵌合される。先端カバー部１０１が取り外された場合、ストッパ部３０３が基礎部材２１ｋの先端部で係止し、外れ落ちる（離脱する）ことを防止できる。
【００８６】
本実施形態によれば、先端カバー部１０１は、ストッパ付き直動ガイド３００によって基礎部材２１に接続されているため、位置合わせすることなく導光モジュール３の先端部に容易に嵌合できる。
【００８７】
［第５の実施形態］  
第５の実施形態の構成について説明する。  
第５の実施形態の観察システム１は、第１の実施形態の観察システム１と、ほぼ同等の構成であるが、照射ユニット７０ｍの構成が異なる。従って、第１の実施形態と共通の構成要素には、同じ参照符号を付して、その詳細な説明を省略する。
【００８８】
図１４に示すように、本実施形態の照射ユニット７０ｍは、第１の実施形態の照射ユニット７０とほぼ同等の構成であるが、接合部材である光学部材外装部７１２ｍを有している点が異なる。
【００８９】
光学部材７０１ｍの後端部は、スリーブ７１３ｍに嵌合するように形成されている。このとき、光学部材７０１ｍの後端部は、フェルール７１の先端と光結合するように形成されている。接続した際に、光学部材７０１ｍとフェルール７１に保持されたライトガイド部４６とは、同軸になるように形成されている。光学部材７０１ｍは、第１の実施形態の変形例４の構成とほぼ同等である。尚、光学部材７０１ｍは、第１の実施形態の変形例１乃至７のいずれかの構成でも構わないし、他の光特性を変換する構成でも構わない。
【００９０】
スリーブ７１３ｍは、フェルール７１の先端部と光ユニット外装部７１２ｍの後端部とに嵌合する孔を有する。スリーブ７１３ｍは、フェルール７１に対して光ユニット外装部７１２ｍを締め付け力により機械的に固定する。  
スリーブ７１３ｍは、フェルール７１の先端部に嵌合され、光学部材７０１ｍの後端部とフェルール７１の先端部とを接合する。  
本実施形態によれば、スリーブ７１３ｍが分離しているために、光学部材７０１を容易に交換できる。
【００９１】
第５の実施形態の変形例１について説明する。  
第５の実施形態の変形例１の観察システム１は、第５の実施形態の観察システム１と、ほぼ同等の構成であるが、光照射モジュール２の光学部材７０１ｎの構成が異なる。従って、第５の実施形態と共通の構成要素には、同じ参照符号を付して、その詳細な説明を省略する。
【００９２】
図１５に示すように、本実施形態の光学部材７０１ｎは、後端部にフェルール７１の先端部に接合する突出部を有する光学部材外装部７１２ｎを有している。接合の際に、この光学部材外装部７１２ｎの後端部は、光学部材７０１ｎとフェルール７１とは光結合されるように形成されている。光学特性調整部７１１ｄは、第１の実施形態の変形例４の構成と同等である。尚、本実施形態の光学特性調整部は、第１の実施形態の変形例１乃至７のいずれかの構成でも構わないし、他の光特性を変換する構成でも構わない。
【００９３】
光学部材７０１ｎは、光学部材外装部７１２ｎの後端部をフェルール７１の先端部に接合することによって、フェルール７１のライトガイド部４６の先端部と光結合される。  
本実施形態によれば、光学部材外装部７１２ｎの後端部が、フェルール７１の先端部に接合されるように形成されているために、接合するための要素数を抑えることができる。また、接合部材が光学部材７０１ｎと一体になっていることから、光学部材７０１ｎは、着脱が容易である。
【００９４】
第５の実施形態の変形例２について説明する。  
第５の実施形態の変形例２の観察システム１は、第５の実施形態の観察システム１と、ほぼ同等の構成であるが、光照射モジュール２の照射ユニット７０ｏの構成が異なる。従って、第５の実施形態と共通の構成要素には、同じ参照符号を付して、その詳細な説明を省略する。
【００９５】
図１６に示すように、本実施形態の光学部材７０１ｏは、後端部が、フェルール７１ｏの先端部に光結合されるように形成されている。  
本実施形態のフェルール７１ｏは、先端部に光学部材７０１ｏの後端部と嵌合する突出部を有している。この突出部と後光学部材７０１ｏの後端部とが接合される。  
光学部材７０１ｏは、光学部材外装部７１２ｏの後端部をフェルール７１ｏの先端部に接合することによって、フェルール７１ｏのライトガイド部４６の先端部と光結合される。
【００９６】
本実施形態によれば、フェルール７１ｏの先端部が、光学部材外装部７１２ｎの後端部に接合されるように形成されているために、接合するための要素数を抑えることができる。また、接合部材がフェルール７１ｏと一体になっているために、光学部材７０１ｏは、着脱が容易である。
【００９７】
［第６の実施形態］  
第６の実施形態の構成について説明する。  
第６の実施形態の観察システム１は、第５の実施形態の観察システム１と、ほぼ同等の構成であるが、光照射モジュール２の光学部材７０ｐの構成が異なる。従って、第１の実施形態と共通の構成要素には、同じ参照符号を付して、その詳細な説明を省略する。
【００９８】
図１７（ａ）及び図１７（ｂ）に示すように、本実施形態の光学部材７０１ｐは、第５の実施形態の光学部材７０１ｍとほぼ同等の構成であるが、先端部の上部及び下部に、取手である突出部を有している点が異なる。
【００９９】
光学部材７０１ｐの突出部は、光学部材７０１ｐを取り出す際に、取手として適用される。  
本実施形態によれば、光学部材７０１ｐが、突出部を有するために、光学部材７０１ｐは、容易に交換される。
【０１００】
第６の実施形態の変形例について説明する。  
第６の実施形態の変形例の観察システム１は、第５の実施形態の観察システム１と、ほぼ同等の構成であるが、光学部材７０１ｑの構成が異なる。従って、第１の実施形態と共通の構成要素には、同じ参照符号を付して、その詳細な説明を省略する。
【０１０１】
図１８（ａ）及び図１８（ｂ）に示すように、本実施形態の光学部材７０１ｑは、第５の実施形態の光学部材７０１ｍとほぼ同等の構成であるが、光学部材７０１ｑの外周部の一部が異形形状に形成されている点で異なる。  
外周部の一部が異形形状に形成されている光学部材７０１ｑは、フェルール７１に接続された際に、光学部材７０１ｑは中心軸回りでの回転を抑制できる。
【０１０２】
本実施形態によれば、光学部材７０１ｑは、外周部の一部が異形形状に形成されているために、接合された際に、中心軸回りに回転しない。また、光学部材７０１ｑは、外周部の一部が異形形状に形成されているために、光学部材７０１ｑの挿入姿勢が容易に識別できる。  
尚、以上の実施形態は、観察システム、光照射モジュール、照射ユニット及び光学部材の構成を限定するものではない。
【０１０３】
以上説明した本発明の各実施形態は、以下の付記に記載する要旨を含んでいる。  
［１］複数の光源から射出された光を夫々導光する複数の光ファイバを結束したライトガイド部と、前記ライトガイド部の先端部に光結合し、前記射出光を所望の光学特性の照明光に変換する、交換可能な光学部材と、内部に貫通孔が形成され、該貫通孔に前記ライトガイド部を嵌装する固定部材を含む基礎部材と、前記光学部材の先端部に嵌合する窓部を有し、当該窓部に照明光を透過する保護部材が設けられ、前記基礎部材の先端部に着脱可能な先端カバー部と、を具備することを特徴とする光照射モジュール。  
［２］前記固定部材を嵌装する孔は、光軸方向に直交する断面の断面形状が少なくとも一部が円形形状であり、前記固定部材を嵌装する孔の中心軸が、前記ライトガイド部の光軸と同軸であることを特徴とする（１）に記載の光照射モジュール。  
［３］前記窓部は、前記光学部材が外部へ離脱することを防止することを特徴とする（１）に記載の光照射モジュール。  
［４］前記窓部は、透明な部材である保護部材を有し、当該保護部材は、前記光学部材の先端に当接するように設置されていることを特徴とする（３）に記載の光照射モジュール。  
［５］前記窓部は、先端部が前記保護部材よりも小さい径を有し、当該保護部材が、先端側へ離脱しないように当該窓部の後端部側から嵌合されていることを特徴とする（１）に記載の光照射モジュール。  
［６］前記先端カバー部は、ネジによって前記基礎部材に取り外しできるように固定されることを特徴とする（１）又は（５）に記載の光照射モジュール。  
［７］前記先端カバー部は、前記照射ユニットを保護するカバー部と、当該照射ユニット以外の部分を保護するカバー部とに、分離されていることを特徴とする（１）又は（５）に記載の光照射モジュール。  
［８］前記照射ユニットを保護するカバー部は、ネジによって前記基礎部材に取り外しできるように固定されることを特徴とする（７）に記載の光照射モジュール。  
［９］前記先端カバー部は、少なくとも、光学部材との間の水密性を維持するシール部材を有し、前記先端カバー部と当該先端カバーが当接する外周面との間に前記シール部材を有することを特徴とする請求項１又は請求項５に記載の光照射モジュール。  
［１０］前記光学部材は、先端部の一部分に取り出すための取手である突出部を有することを特徴とする（１）又は（５）に記載の光照射モジュール。  
［１１］前記光学部材は、外周部の一部分が異形形状に形成されていることを特徴とする（１）又は（５）に記載の光照射モジュール。  
［１２］前記先端カバー部の一部分に一端部が埋設され、他端部が前記基礎部材の内部に形成された孔の内部を可動できるように保持され、前記基礎部材の内部に形成された孔の先端部で前記他端部が係止する、軸部材を有し、前記軸部材が、前記基礎部材の内部に形成された孔に従って収納されると、前記先端カバー部が当該基礎部材の先端部に装着されることを特徴とする（１）又は（５）に記載の光照射モジュール。  
［１３］前記固定部材の先端部と前記光学部材の後端部とを締め付けて、固定する接合部材を有することを特徴とする（１）又は（５）に記載の光照射モジュール。  
［１４］前記固定部材は、先端部に前記光学部材の後端部と接合する接合部を有することを特徴とする（１）又は（５）に記載の光照射モジュール。  
［１５］前記光学部材は、後端部に前記固定部材の先端部と接合する接合部を有することを特徴とする（１）又は（５）に記載の光照射モジュール。  
［１６］複数の光源と、前記光源からの射出された光を夫々導光する光ファイバを結束したライトガイド部を有し、当該光源と光学的及び機械的に着脱可能な導光モジュールと、
前記導光モジュールに光学的に接続され、前記導光モジュールを導光する光を照射する光照射モジュールと、を具備し、前記光照射モジュールは、少なくとも１つの光源から射出された光を導光する複数の光ファイバを結束したライトガイド部と、前記ライトガイド部の先端部に光結合し、前記射出光を所望の光学特性の照明光に変換する、交換可能な光学部材と、内部に貫通孔が形成され、該貫通孔に前記ライトガイド部を嵌装する固定部材を含む基礎部材と、前記光学部材の先端部に嵌合する窓部を有し、当該窓部に照明光を透過する保護部材が設けられ、前記基礎部材の先端部に着脱可能な先端カバー部と、有し、
前記先端カバー部が前記導光モジュールの先端部に装着された際に、当該先端カバー部と当該導光モジュールとの間で、水密性が維持されていること、を特徴とする観察システム。
【符号の説明】
【０１０４】
１…観測システム、２…照射モジュール、３…導光モジュール、４…モジュール本体、５…画像観察部、６…コネクタ、２１、２１ｋ…基礎部材、２２、１１１、１１１ｉ、７１２、７１２ｄ、７１２ｅ、７１２ｍ、７１２ｎ、７１２ｏ、７１２ｐ、７１２ｑ…光学部材外装部、２３、１１２、１１２ｈ、１１３、１１３ｈ、１１４、１１４ｈ…シール部材、２４…固定部材、２５…撮像ユニット固定部、２６…ライトガイド固定部、３７…ハウジング、４２…単束ファイバ、４３…バンドルファイバ、４４…ＬＤ光源、４５…拡散光光源、４６…ライトガイド部、４７…筐体、５３…ケーブル、６０…撮像ユニット、６１…撮像光学系、６２…レンズ鏡筒、６３…撮像素子、７０、７０ｍ、７０ｏ…照射ユニット、７１、７１ｏ…フェルール、１０１、１０１ｉ、１０１ｈ、１０２ｈ…先端カバー部、１１５、１１５ｉ、１１６、１１６ｉ…保護部材、１２１、１２１ｉ、１２１ｈ、１２２、１２２ｉ、１２２ｈ…窓部、１２３、１２３ｈ、２５１、２５２、２５３、３１１…孔、３００…ストッパ付き直動ガイド部、３０１…軸部材、３０２、３０３…ストッパ部、７０１、７０１ａ、７０１ｂ、７０１ｃ、７０１ｄ、７０１ｅ、７０１ｆ、７０１ｇ、７０１ｍ、７０１ｎ、７０１ｏ、７０１ｐ、７０１ｑ…光学部材、７１１、７１１ｄ、７１１ｅ、７１１ｏ…光学特性調整部、７１３、７１３ｍ…スリーブ、７２１ａ、７２１ｂ、７２１ｅ、７２１ｆ、７２１ｇ…レンズ部、７２２ｂ、７２２ｃ、７２２ｇ…散乱部材、７２３ｄ…ガラス部材、７２４ｄ…光特性変換部。
【図１】
2014003998.tif 000003
【図２】
2014003998.tif 000004
【図３】
2014003998.tif 000005
【図４】
2014003998.tif 000006
【図５】
2014003998.tif 000007
【図６】
2014003998.tif 000008
【図７】
2014003998.tif 000009
【図８】
2014003998.tif 000010
【図９】
2014003998.tif 000011
【図１０】
2014003998.tif 000012
【図１１】
2014003998.tif 000013
【図１２】
2014003998.tif 000014
【図１３】
2014003998.tif 000015
【図１４】
2014003998.tif 000016
【図１５】
2014003998.tif 000017
【図１６】
2014003998.tif 000018
【図１７】
2014003998.tif 000019
【図１８】
2014003998.tif 000020